(57)【特許請求の範囲】
【請求項１】
一乃至複数の刃受けが収納される器体と、器体内で刃受けに電気的に接続され器体に開口された挿通孔を通して外部に引き出され且つ一端にプラグを有する電源コードと、電源コードに外挿され器体に保持されるブッシングとを備えたテーブルタップであって、ブッシングは、器体から突出し電源コードを保護する筒状の保護部と、器体内部において器体に保持される保持部とから成り、保持部の内壁において電源コードと対向し少なくとも電源コードが屈曲する際に電源コードと当接する一乃至複数の突出部を備えたことを特徴とするテーブルタップ。
【請求項２】
前記保護部は、その内壁において電源コードの周縁と全周にわたって当接する一乃至複数の弁を備えたことを特徴とする請求項１記載のテーブルタップ。
【請求項３】
前記保持部は、その外側に全周にわたるフランジを備え、前記器体は、挿通孔近傍においてフランジが嵌合する溝を有し、フランジは、挿通孔の周壁と全周にわたって当接することを特徴とする請求項１又は２記載のテーブルタップ。
【請求項４】
前記保持部は、その外側に突出する一乃至複数の嵌合片を備え、前記器体は、挿通孔近傍の内壁において嵌合片と嵌合する嵌合部を備えたことを特徴とする請求項１乃至３の何れかに記載のテーブルタップ。
【発明の詳細な説明】
【技術分野】
【０００１】
本発明は、テーブルタップに関するものである。
【背景技術】
【０００２】
従来のテーブルタップとしては、図４に示すものがある（特許文献１）。このテーブルタップは、合成樹脂製のカバー４１及びボディ４２から成る外郭４０を備え、外郭４０は略直方体形状の細長い函体に形成されており、長手方向に沿った一面（図４における上側の面）と、長手方向の一端の面にプラグＰの栓刃を挿入する栓刃挿入孔４３がそれぞれ設けられている。そして、先端にプラグ（図示せず）を有する電源コード４４の端末が、外郭４０の長手方向の他端側に取着されたブッシング４５を介して外郭４０内部に導入され、外郭４０内部に各栓刃挿入孔４３と対向して設けられてプラグＰの栓刃を受ける刃受け（図示せず）と接続して給電される。ブッシング４５は、外郭４０から引き出された電源コード４４の外周を覆って電源コード４４の屈曲による断線を防止するもので、その一端側は筒状を成し、他端側は外郭４０に固定するための構造を有しており、他端側から一端側にかけて滑らかに細くなっている。外郭４０の長手方向の他端側は電源コード４４を導入するための開口が形成されており、ブッシング４５はその開口に覆設される。ブッシング４５の他端の図４における上下方向の両側面には、半円弧状の凸部（図示せず）が前記両側方向に突出しており、凸部が外郭４０の長手方向の他端側の開口内側の周縁に係止することでブッシング４５が外郭４０に固定される。
【特許文献１】特開２００４−２２１０３３号公報
【発明の開示】
【発明が解決しようとする課題】
【０００３】
しかしながら、上記従来例のテーブルタップでは、電源コード４４が屈曲する場合に、ブッシング４５が変形する又は捩れることで外郭４０とブッシング４５との間に隙間を生じてしまい、結果水等が外郭４０内部に侵入することで不具合が生じる恐れがあった。また、電源コード４４が屈曲しない場合にも、電源コード４４とブッシング４５との間に隙間が生じることで外部からの水等の侵入を許してしまい、結果上述のように不具合が生じるという問題があった。
【０００４】
本発明は、上記の点に鑑みて為されたもので、外部から水等が器体内部に侵入するのを防ぐことができるテーブルタップを提供することを目的とする。
【課題を解決するための手段】
【０００５】
請求項１の発明は、上記目的を達成するために、一乃至複数の刃受けが収納される器体と、器体内で刃受けに電気的に接続され器体に開口された挿通孔を通して外部に引き出され且つ一端にプラグを有する電源コードと、電源コードに外挿され器体に保持されるブッシングとを備えたテーブルタップであって、ブッシングは、器体から突出し電源コードを保護する筒状の保護部と、器体内部において器体に保持される保持部とから成り、保持部の内壁において電源コードと対向し少なくとも電源コードが屈曲する際に電源コードと当接する一乃至複数の突出部を備えたことを特徴とする。
【０００６】
請求項２の発明は、請求項１の発明において、保護部は、その内壁において電源コードの周縁と全周にわたって当接する一乃至複数の弁を備えたことを特徴とする。
【０００７】
請求項３の発明は、請求項１又は２の発明において、保持部は、その外側に全周にわたるフランジを備え、器体は、挿通孔近傍においてフランジが嵌合する溝を有し、フランジは、挿通孔の周壁と全周にわたって当接することを特徴とする。
【０００８】
請求項４の発明は、請求項１乃至３の何れかの発明において、保持部は、その外側に突出する一乃至複数の嵌合片を備え、器体は、挿通孔近傍の内壁において嵌合片と嵌合する嵌合部を備えたことを特徴とする。
【発明の効果】
【０００９】
請求項１の発明によれば、保持部の内壁において電源コードと対向し少なくとも電源コードが屈曲する際に電源コードと当接する一乃至複数の突出部を備えたので、電源コードの屈曲によってブッシングが変形することを防ぎ、変形によって器体とブッシングとの間に隙間が生じるのを防ぐことができ、したがって隙間から水等が侵入するのを防止できる。
【００１０】
請求項２の発明によれば、保護部はその内壁において電源コードの周縁と全周にわたって当接する一乃至複数の弁を備えたので、外部からの水等が電源コードを伝って器体内部に侵入するのを防ぐことができる。
【００１１】
請求項３の発明によれば、保持部はその外側に全周にわたるフランジを備え、器体は挿通孔近傍においてフランジが嵌合する溝を有し、フランジは挿通孔の周壁と全周にわたって当接するようにしたので、器体とブッシングとの間に隙間が生じた場合にもフランジによって水等の侵入を防止できる。
【００１２】
請求項４の発明によれば、保持部はその外側に突出する一乃至複数の嵌合片を備え、器体は挿通孔近傍の内壁において嵌合片と嵌合する嵌合部を備えたので、電源コードの屈曲によってブッシングが変形する又は捩れるのを防ぎ、したがって器体とブッシングとの間に隙間が生じるのを防ぐことができ、水等の侵入を防止できる。
【発明を実施するための最良の形態】
【００１３】
以下、本発明の実施形態について図面を参照して説明する。本実施形態のテーブルタップは、図３に示すように、プラグ（図示せず）の栓刃を受ける一対を１組とした３組の刃受け（図示せず）が収納される器体１と、器体１内で刃受けに電気的に接続され器体１の長手方向の一端（図３における左側）に開口された挿通孔１０を通して外部に引き出され且つ一端にプラグを有する電源コード２と、電源コード２に外挿され挿通孔１０の近傍で器体１に保持されるブッシング３とを備えている。
【００１４】
器体１は、合成樹脂製のカバー１１及びボディ１２から成り、略直方体形状の細長い函体に形成されている。カバー１１及びボディ１２は、図２（ａ）、（ｃ）に示すように、各々一面を開口した略矩形状の函体に形成されており、長手方向の一端（図２（ａ）、（ｃ）における上側）は半円弧状に形成されている。また、カバー１１及びボディ１２の何れの半円弧状の端部にも略矩形状に切り欠きが設けられており、これら切り欠きはボディ１２にカバー１１を取付けて器体１を構成することで略矩形状の挿通孔１０を成す。
【００１５】
さらにカバー１１及びボディ１２には、各々半円弧状の端部と並行に湾曲した壁１７が一定の間隔を空けて設けられている。壁１７は、図２（ｂ）、（ｄ）に示すように、各々器体１の内壁と一体に略コ字形状に形成されており、内側の辺には凹形状に形成された複数の嵌合部１４が設けられ、後述する嵌合片３５と嵌合するようになっている。また、半円弧状の端部と壁１７との間には、カバー１１及びボディ１２何れにも溝１３が設けられており、後述するフランジ３４が嵌合するようになっている。
【００１６】
器体１は、ボディ１２にカバー１１を各々の周縁部が当接するように取付け、ボディ１２の内底面上に設けた３つの円柱状のリブ１６の軸方向に各々形成したネジ挿通孔１６ａにボディ１２の裏側から挿通させた組立ネジ（図示せず）を、カバー１１に設けた３つのネジ孔１５に螺合させることで構成される。
【００１７】
器体１の図３における上面には、プラグの栓刃が挿入される矩形状の栓刃挿入孔１ａが一対を１組として２組設けられており、器体１の長手方向の他端（図３における右側）にも、図示していないが栓刃挿入孔１ａが１組設けられている。器体１内部には、各栓刃挿入孔１ａと対向する位置に刃受けが設けられており、一端にプラグを有する電源コード２の端末と電気的に接続される。電源コード２は、器体１の長手方向の一端に設けられた略矩形状の挿通孔１０を通して器体１内部へと導入されており、この挿通孔１０の近傍において、電源コード２に外挿されるブッシング３が器体１に取付けられている。
【００１８】
図１に示すように、ブッシング３は樹脂材料から形成され、器体１から引き出された電源コード２の外周を覆って電源コード２の屈曲による断線を防止する筒状の保護部３０と、挿通孔１０近傍の器体１内部においてブッシング３を器体１に保持するための保持部３１とから成る。
【００１９】
保護部３０は細長い筒状に形成されており、長手方向の一端及び他端には電源コード２を導入するために略楕円形状に開口部３０ａが形成されている。保護部３０の内壁には、保護部３０と一体に形成され、電源コード２の周縁と全周にわたって当接する２つの弁３３が一定の間隔を空けて設けられており、図１（ｅ）における上側の開口部３０ａの内壁においても、図示していないが同様に２つの弁が一定の間隔を空けて設けられている。これら弁３３は電源コード２が保護部３０に挿通されると、電源コード２に押されることで電源コード２のコード径に合わせて変形し、電源コード２の周縁と全周にわたって密着するようになっている。
【００２０】
保持部３１は、図１（ａ）に示すように、器体１の挿通孔１０を塞ぐ蓋部３６と、保持部３１の外周に設けられたフランジ３４と、器体１内部においてブッシング３を器体１に固定する固定部３７から成り、何れの部位の中央部も電源コード２を導入するために略楕円形状に開口されている。蓋部３６は、器体１の長手方向の一端の半円弧と並行するように湾曲して保護部３０の器体１側の端部と一体に形成されており、挿通孔１０の内壁と全周にわたって当接して挿通孔１０を塞ぐようになっている。フランジ３４は、蓋部３６の図１（ａ）における下側に蓋部３６に沿って一体に形成され、全周にわたって蓋部３６よりも外側に突出している。このフランジ３４は、器体１の溝１３に嵌合することで、器体１の挿通孔１０の周辺を成す壁面の裏側と当接するようになっている。
【００２１】
固定部３７は、フランジ３４の図１（ａ）における下側に略直方体状に形成され、前記上側の面はフランジ３４と当接するように湾曲している。固定部３７の内壁には、固定部３７と一体に形成され、電源コード２を挟んで対向する２つの凸形状の突出部３２が設けられている。これら突出部３２は、電源コード２の周縁と当接するように形成されている。尚、突出部３２は少なくとも電源コード２が屈曲する際に電源コード２の周縁と当接するように形成されればよく、本実施形態のように屈曲しない場合にも当接する必要はない。
【００２２】
さらに固定部３７の外周には、図１（ａ）におけるフランジ３４の下部に固定部３７の外側に突出する凸形状の複数の嵌合片３５が全周にわたって間隔を空けて形成されている。これら嵌合片３５は器体１内部の挿通孔１０の近傍に設けられた嵌合部１４に嵌合するようになっている（図２（ｅ）参照）。
【００２３】
上述のように、保護部３０及び開口部３０ａの内壁に、電源コード２の周縁と全周にわたって当接する弁３３を設けたので、ブッシング３内部に電源コード２を伝って水等が侵入した場合に弁３３が電源コード２の周縁と密着しているため、器体１内部への水等の侵入を防止することができる。また、固定部３７の内壁に電源コード２を挟んで対向する突出部３２を設けたので、電源コード２が屈曲する際に突出部３２が電源コード２に当接することでブッシング３の変形を防ぎ、変形によって蓋部３６と器体１との間に隙間が生じるのを防ぐことができ、したがって水等が器体１内部へと侵入するのを防止できる。
【００２４】
さらに保持部３１の外側に、保持部３１の全周にわたってフランジ３４を設け、このフランジ３４と挿通孔１０の周辺を成す器体１の壁面の裏側に設けた溝１３とを嵌合するようにしたので、万が一にも器体１と蓋部３６との間に隙間が生じて水等が侵入したとしても、フランジ３４が器体１の壁面の裏側と当接することにより、器体１内部の奥へと水等が侵入するのを防止できる。また、固定部３７の外側に凸形状の複数の嵌合片３５を設け、この嵌合片３５が器体１内部の挿通孔１０の近傍に設けられた嵌合部１２に嵌合するようにしたので、電源コード２が屈曲する場合にブッシング３が変形する又は捩れるのを抑えることができ、したがって蓋部３６と器体１との間に隙間が生じるのを防ぐことができ、水等の侵入を防止できる。
【図面の簡単な説明】
【００２５】
【図１】本発明の実施形態のテーブルタップのブッシングを示す図で、（ａ）は正面図で、（ｂ）は一方の側面図で、（ｃ）は上面図で、（ｄ）はＢ−Ｂ線断面矢視図で、（ｅ）は電源コードが挿通している場合のＡ−Ａ線断面矢視図である。
【図２】同上の器体を示す図で、（ａ）はボディの内底面を示す図で、（ｂ）はＣ−Ｃ線断面矢視図で、（ｃ）はカバーの内底面を示す図で、（ｄ）はＤ−Ｄ線断面矢視図で、（ｅ）は器体の長手方向の一端から見た一部断面図で、（ｆ）は器体の長手方向の他端から見た図である。
【図３】本発明の実施形態のテーブルタップを示す斜視図である。
【図４】従来のテーブルタップを示す斜視図である。
【符号の説明】
【００２６】
１  器体
１０  挿通孔
１３  溝
１４  嵌合部
２  電源コード
３  ブッシング
３０  保護部
３１  保持部
３２  突出部
３３  弁
３４  フランジ
３５  嵌合片
【図１】
0004396610.tif 000002
【図２】
0004396610.tif 000003
【図３】
0004396610.tif 000004
【図４】
0004396610.tif 000005